(57)【要約】【課題】  複数のゲートウェイ装置がそれぞれ所定の情報をサーバ装置へ通知する遠隔監視制御システムにおいて、ゲートウェイ装置の台数の増加に伴うサーバ装置における通信負荷の増加を低減することができる登録サーバ装置、及びこれを用いた遠隔監視制御システムを提供する。【解決手段】  複数のゲートウェイ装置３とネットワーク４を介して通信を行う通信処理部と、複数のゲートウェイ装置３のうちの一のゲートウェイ装置３をマスタゲートウェイ装置に設定すると共に、複数のゲートウェイ装置３のうちの残余のゲートウェイ装置３をスレーブゲートウェイ装置に設定する設定制御部とを備える登録サーバ装置６を備えた。そして、マスタゲートウェイ装置は、スレーブゲートウェイ装置から受信した通信信号を取りまとめてセンタサーバ５に転送するようにした。【選択図】      図１
2006203696.tif 000002
【特許請求の範囲】
【請求項１】
所定の情報を収容する通信信号を送信する複数のゲートウェイ装置と、前記複数のゲートウェイ装置とネットワークを介して通信可能に接続され、前記通信信号を受信して前記所定の情報を管理するセンタサーバとを備える遠隔監視制御システムにおいて、
前記複数のゲートウェイ装置と前記ネットワークを介して通信を行う通信処理部と、
前記複数のゲートウェイ装置のうちの一のゲートウェイ装置をマスタゲートウェイ装置に設定すると共に、前記複数のゲートウェイ装置のうちの残余のゲートウェイ装置をスレーブゲートウェイ装置に設定する設定制御部とを備える登録サーバ装置をさらに備え、
前記マスタゲートウェイ装置は、前記スレーブゲートウェイ装置から受信した前記通信信号を取りまとめて前記センタサーバに転送すること
を特徴とする遠隔監視制御システム。
【請求項２】
前記登録サーバ装置は、
前記複数のゲートウェイ装置を管理するための情報を記憶する管理情報記憶部と、
前記通信処理部により前記ゲートウェイ装置の通信アドレスが受信された場合、当該通信アドレスを前記管理情報記憶部に記憶させる登録処理部とを備え、
前記登録サーバ装置の設定制御部は、前記通信処理部により前記複数のゲートウェイ装置のうち一のゲートウェイ装置の通信アドレス情報が受信され、かつ前記管理情報記憶部に他のゲートウェイ装置の通信アドレスが記憶されていない場合、当該一のゲートウェイ装置を前記マスタゲートウェイ装置に設定する旨の設定指示を前記通信処理部により当該一のゲートウェイ装置へ送信させ、前記通信処理部により前記複数のゲートウェイ装置のうち一のゲートウェイ装置の通信アドレスが受信され、かつ前記管理情報記憶部に他のゲートウェイ装置の通信アドレスが記憶されている場合、当該一のゲートウェイ装置を前記マスタゲートウェイ装置に対して前記所定の情報を送信するスレーブゲートウェイ装置に設定する旨の設定指示を前記通信処理部により当該一のゲートウェイ装置へ送信させること
を特徴とする請求項１記載の遠隔監視制御システム。
【請求項３】
前記スレーブゲートウェイ装置は、前記マスタゲートウェイ装置に対して前記所定の情報を送信することができない場合、前記マスタゲートウェイ装置との間で通信できない旨の信号を前記登録サーバ装置へ送信し、
前記登録サーバ装置の設定制御部は、前記通信処理部により前記スレーブゲートウェイ装置から前記マスタゲートウェイ装置との間で通信できない旨の信号が受信された場合、前記管理情報記憶部に記憶されている当該マスタゲートウェイ装置以外のゲートウェイ装置へ、新たなマスタゲートウェイ装置に設定する旨の設定指示を前記通信処理部により送信させるマスタゲートウェイ更新処理を行うこと
を特徴とする請求項２記載の遠隔監視制御システム。
【請求項４】
前記登録サーバ装置の設定制御部は、前記マスタゲートウェイ更新処理において、新たなマスタゲートウェイ装置が指定される前にマスタゲートウェイ装置であった旧マスタゲートウェイ装置の通信アドレスが前記通信処理部により受信された場合、当該旧マスタゲートウェイ装置を前記新たなマスタゲートウェイ装置に対するスレーブゲートウェイ装置に設定する旨の設定指示を当該旧マスタゲートウェイ装置へ前記通信処理部により送信させること
を特徴とする請求項３記載の遠隔監視制御システム。
【請求項５】
前記登録サーバ装置の設定制御部は、前記通信処理部により前記スレーブゲートウェイ装置から前記マスタゲートウェイ装置との間で通信できない旨の信号が受信された場合、当該マスタゲートウェイ装置に指定されたゲートウェイ装置の通信アドレスをオフライン状態として前記管理情報記憶部に記憶させ、前記管理情報記憶部により前記オフライン状態として記憶されているゲートウェイ装置の通信アドレスが前記通信処理部により受信された場合、当該通信アドレスのゲートウェイ装置についてオンライン状態として前記管理情報記憶部に記憶させ、前記オフライン状態から前記オンライン状態に変化した回数を当該状態の変化したゲートウェイ装置についての状態遷移回数として計数すると共に前記管理情報記憶部に記憶させ、再び前記通信処理部により前記スレーブゲートウェイ装置から前記マスタゲートウェイ装置との間で通信できない旨の信号が受信された場合、前記マスタゲートウェイ更新処理において、前記管理情報記憶部に記憶されているゲートウェイ装置のうちオフライン状態として記憶されているゲートウェイ装置を除くゲートウェイ装置のうち最も前記状態遷移回数が少ないゲートウェイ装置へ、新たなマスタゲートウェイ装置に設定する旨の設定指示を前記通信処理部により送信させること
を特徴とする請求項３又は４記載の遠隔監視制御システム。
【請求項６】
前記登録サーバ装置の設定制御部は、前記通信処理部により前記スレーブゲートウェイ装置から前記マスタゲートウェイ装置との間で通信できない旨の信号が受信された場合、前記マスタゲートウェイ装置に指定されたゲートウェイ装置の生存確認を行い、当該ゲートウェイ装置が生存していない場合は前記マスタゲートウェイ更新処理を実行し、当該ゲートウェイ装置が生存している場合は前記マスタゲートウェイ装置との間で通信できない旨の信号を送信したスレーブゲートウェイ装置へ、前記マスタゲートウェイ装置に対する通信の再開指示を前記通信処理部により送信させること
を特徴とする請求項３〜５のいずれかに記載の遠隔監視制御システム。
【請求項７】
所定の情報を収容する通信信号を送信する複数のゲートウェイ装置と、前記複数のゲートウェイ装置とネットワークを介して通信可能に接続され、前記通信信号を受信して前記所定の情報を管理するセンタサーバとを備える遠隔監視制御システムに前記ネットワークを介して通信可能に接続される登録サーバ装置であって、
前記複数のゲートウェイ装置と前記ネットワークを介して通信を行う通信処理部と、
前記複数のゲートウェイ装置のうちの一のゲートウェイ装置を、前記スレーブゲートウェイ装置から受信した前記通信信号を取りまとめて前記センタサーバに転送するマスタゲートウェイ装置に設定すると共に、前記複数のゲートウェイ装置のうちの残余のゲートウェイ装置をスレーブゲートウェイ装置に設定する設定制御部と
を備えることを特徴とする登録サーバ装置。
【発明の詳細な説明】
【技術分野】
【０００１】
本発明は、複数のゲートウェイ装置を管理する登録サーバ装置、及びこれを備えた遠隔監視制御システムに関する。
【背景技術】
【０００２】
戸建て住宅、集合住宅、庁舎、ホール、商業ビル、オフィスビル及び工場等の建物には、照明機器、空調機器、計測機器及び防犯機器等の様々な機器が設置されている。近年では、通信技術等の進展により、これら機器は、有線又は無線の伝送路によって相互に通信可能に接続されることによってネットワーク化され、さらに機器監視制御装置がネットワークに接続されて機器監視制御装置によって集中的に監視されるようになっている。そして、インターネットの普及により、最近では、インターネットを利用して端末装置からこれら機器を遠隔に監視する遠隔監視制御システムの開発も進展している（例えば、特許文献１参照。）。
【０００３】
図９は、この種の背景技術に係る遠隔監視制御システムの構成の一例を示すブロック図である。図９に示す遠隔監視制御システム１０１は、例えば住宅やビル等の建物に設置される防犯機器や空調機器等であるローカルシステム１０２−１，１０２−２，１０２−３と、機器監視制御装置の一態様であるゲートウェイ装置１０３−１，１０３−２，１０３−３と、例えば電話網、ディジタル通信網及び無線通信網等から構成されるネットワーク１０４と、例えばパーソナルコンピュータを用いて構成されるセンタサーバ１０５とを備えている。ここで、本明細書において、総称する場合には添え字を省略した参照符号で示し、個別の構成を指す場合には添え字を付した参照符号で示す。
【０００４】
そして、ローカルシステム１０２−１，１０２−２，１０２−３は、ゲートウェイ装置１０３−１，１０３−２，１０３−３にそれぞれ動作状態や防犯警報等を示す監視情報を送信する。ゲートウェイ装置１０３−１，１０３−２，１０３−３は、ローカルシステム１０２−１，１０２−２，１０２−３から送信された監視情報や各ゲートウェイ装置１０３の生存状態を通知するための生存信号等をネットワーク１０４を介して遠隔に設置されたセンタサーバ１０５へそれぞれ定期的に送信するようになっている。
【特許文献１】特開２００４−２８０７１７号公報
【発明の開示】
【発明が解決しようとする課題】
【０００５】
ところで、ネットワーク１０４に接続された複数のゲートウェイ装置１０３から監視情報や生存信号等の情報がセンタサーバ１０５へ送信されると、センタサーバ１０５は複数のゲートウェイ装置１０３とそれぞれ通信処理を実行する必要があるため、ゲートウェイ装置１０３の台数の増加に伴いセンタサーバ１０５の通信負荷が増大するという不都合があった。特に各ゲートウェイ装置１０３が定期的に生存信号をセンタサーバ１０５へ送信する場合、影響が大きい。
【０００６】
本発明は、このような問題に鑑みて為された発明であり、複数のゲートウェイ装置がそれぞれ所定の情報をサーバ装置へ通知する遠隔監視制御システムにおいて、ゲートウェイ装置の台数の増加に伴うサーバ装置における通信負荷の増加を低減することができる登録サーバ装置、及びこれを用いた遠隔監視制御システムを提供することを目的とする。
【課題を解決するための手段】
【０００７】
上述の目的を達成するために、本発明の第１の手段に係る遠隔監視制御システムは、所定の情報を収容する通信信号を送信する複数のゲートウェイ装置と、前記複数のゲートウェイ装置とネットワークを介して通信可能に接続され、前記通信信号を受信して前記所定の情報を管理するセンタサーバとを備える遠隔監視制御システムにおいて、前記複数のゲートウェイ装置と前記ネットワークを介して通信を行う通信処理部と、前記複数のゲートウェイ装置のうちの一のゲートウェイ装置をマスタゲートウェイ装置に設定すると共に、前記複数のゲートウェイ装置のうちの残余のゲートウェイ装置をスレーブゲートウェイ装置に設定する設定制御部とを備える登録サーバ装置をさらに備え、前記マスタゲートウェイ装置は、前記スレーブゲートウェイ装置から受信した前記通信信号を取りまとめて前記センタサーバに転送することを特徴としている。
【０００８】
また、上述の遠隔監視制御システムにおいて、前記登録サーバ装置は、前記複数のゲートウェイ装置を管理するための情報を記憶する管理情報記憶部と、前記通信処理部により前記ゲートウェイ装置の通信アドレスが受信された場合、当該通信アドレスを前記管理情報記憶部に記憶させる登録処理部とを備え、前記登録サーバ装置の設定制御部は、前記通信処理部により前記複数のゲートウェイ装置のうち一のゲートウェイ装置の通信アドレス情報が受信され、かつ前記管理情報記憶部に他のゲートウェイ装置の通信アドレスが記憶されていない場合、当該一のゲートウェイ装置を前記マスタゲートウェイ装置に設定する旨の設定指示を前記通信処理部により当該一のゲートウェイ装置へ送信させ、前記通信処理部により前記複数のゲートウェイ装置のうち一のゲートウェイ装置の通信アドレスが受信され、かつ前記管理情報記憶部に他のゲートウェイ装置の通信アドレスが記憶されている場合、当該一のゲートウェイ装置を前記マスタゲートウェイ装置に対して前記所定の情報を送信するスレーブゲートウェイ装置に設定する旨の設定指示を前記通信処理部により当該一のゲートウェイ装置へ送信させることを特徴としている。
【０００９】
そして、上述の遠隔監視制御システムにおいて、前記スレーブゲートウェイ装置は、前記マスタゲートウェイ装置に対して前記所定の情報を送信することができない場合、前記マスタゲートウェイ装置との間で通信できない旨の信号を前記登録サーバ装置へ送信し、前記登録サーバ装置の設定制御部は、前記通信処理部により前記スレーブゲートウェイ装置から前記マスタゲートウェイ装置との間で通信できない旨の信号が受信された場合、前記管理情報記憶部に記憶されている当該マスタゲートウェイ装置以外のゲートウェイ装置へ、新たなマスタゲートウェイ装置に設定する旨の設定指示を前記通信処理部により送信させるマスタゲートウェイ更新処理を行うことを特徴としている。
【００１０】
さらに、上述の遠隔監視制御システムにおいて、前記登録サーバ装置の設定制御部は、前記マスタゲートウェイ更新処理において、新たなマスタゲートウェイ装置が指定される前にマスタゲートウェイ装置であった旧マスタゲートウェイ装置の通信アドレスが前記通信処理部により受信された場合、当該旧マスタゲートウェイ装置を前記新たなマスタゲートウェイ装置に対するスレーブゲートウェイ装置に設定する旨の設定指示を当該旧マスタゲートウェイ装置へ前記通信処理部により送信させることを特徴としている。
【００１１】
また、上述の遠隔監視制御システムにおいて、前記登録サーバ装置の設定制御部は、前記通信処理部により前記スレーブゲートウェイ装置から前記マスタゲートウェイ装置との間で通信できない旨の信号が受信された場合、当該マスタゲートウェイ装置に指定されたゲートウェイ装置の通信アドレスをオフライン状態として前記管理情報記憶部に記憶させ、前記管理情報記憶部により前記オフライン状態として記憶されているゲートウェイ装置の通信アドレスが前記通信処理部により受信された場合、当該通信アドレスのゲートウェイ装置についてオンライン状態として前記管理情報記憶部に記憶させ、前記オフライン状態から前記オンライン状態に変化した回数を当該状態の変化したゲートウェイ装置についての状態遷移回数として計数すると共に前記管理情報記憶部に記憶させ、再び前記通信処理部により前記スレーブゲートウェイ装置から前記マスタゲートウェイ装置との間で通信できない旨の信号が受信された場合、前記マスタゲートウェイ更新処理において、前記管理情報記憶部に記憶されているゲートウェイ装置のうちオフライン状態として記憶されているゲートウェイ装置を除くゲートウェイ装置のうち最も前記状態遷移回数が少ないゲートウェイ装置へ、新たなマスタゲートウェイ装置に設定する旨の設定指示を前記通信処理部により送信させることを特徴としている。
【００１２】
そして、上述の遠隔監視制御システムにおいて、前記登録サーバ装置の設定制御部は、前記通信処理部により前記スレーブゲートウェイ装置から前記マスタゲートウェイ装置との間で通信できない旨の信号が受信された場合、前記マスタゲートウェイ装置に指定されたゲートウェイ装置の生存確認を行い、当該ゲートウェイ装置が生存していない場合は前記マスタゲートウェイ更新処理を実行し、当該ゲートウェイ装置が生存している場合は前記マスタゲートウェイ装置との間で通信できない旨の信号を送信したスレーブゲートウェイ装置へ、前記マスタゲートウェイ装置に対する通信の再開指示を前記通信処理部により送信させることを特徴としている。
【００１３】
また、本発明の第２の手段に係る登録サーバ装置は、所定の情報を収容する通信信号を送信する複数のゲートウェイ装置と、前記複数のゲートウェイ装置とネットワークを介して通信可能に接続され、前記通信信号を受信して前記所定の情報を管理するセンタサーバとを備える遠隔監視制御システムに前記ネットワークを介して通信可能に接続される登録サーバ装置であって、前記複数のゲートウェイ装置と前記ネットワークを介して通信を行う通信処理部と、前記複数のゲートウェイ装置のうちの一のゲートウェイ装置を、前記スレーブゲートウェイ装置から受信した前記通信信号を取りまとめて前記センタサーバに転送するマスタゲートウェイ装置に設定すると共に、前記複数のゲートウェイ装置のうちの残余のゲートウェイ装置をスレーブゲートウェイ装置に設定する設定制御部とを備えることを特徴としている。
【発明の効果】
【００１４】
このような構成の遠隔監視制御システム及び登録サーバ装置は、登録サーバ装置によって、センタサーバとネットワークを介して接続された複数のゲートウェイ装置のうち一のゲートウェイ装置がマスタゲートウェイ装置に設定され、残余のゲートウェイ装置がスレーブゲートウェイ装置に設定される。そして、マスタゲートウェイ装置によって、スレーブゲートウェイ装置から送信された所定の情報を収容する通信信号が取りまとめられてセンタサーバに転送されるので、センタサーバは各ゲートウェイ装置と個別に通信処理を実行する必要がなく、ゲートウェイ装置の台数の増加に伴うサーバ装置における通信負荷の増加を低減することができる。
【発明を実施するための最良の形態】
【００１５】
以下、本発明に係る実施形態を図面に基づいて説明する。なお、各図において同一の符号を付した構成は、同一の構成であることを示し、その説明を省略する。
【００１６】
図１は、本発明の一実施形態に係る登録サーバ装置を用いた遠隔監視制御システムの一例を示すブロック図である。図１に示す遠隔監視制御システム１は、例えば住宅やビル等の建物に設置される防犯機器や空調機器等であるローカルシステム２−１，２−２，２−３と、機器監視制御装置の一態様であるゲートウェイ装置３−１，３−２，３−３と、例えば電話網、ディジタル通信網及び無線通信網等から構成されるネットワーク４と、例えばパーソナルコンピュータを用いて構成されるセンタサーバ５と、例えばパーソナルコンピュータを用いて構成される登録サーバ装置６とを備えている。ネットワーク４は、例えば、通信プロトコルにＨＴＴＰ（HyperText Transfer Protocol）、ＦＴＰ（File Transfer Protocol）及びＴＣＰ／ＩＰ（Transmission Control Protocol/Internet Protocol）等の所謂インターネットプロトコル群が用いられてインターネットを構成する。なお、ネットワーク４は、イントラネットでもよい。
【００１７】
そして、ローカルシステム２−１，２−２，２−３は、ゲートウェイ装置３−１，３−２，３−３にそれぞれ動作状態や防犯警報等を示す監視情報を送信すると共にセンタサーバ５からネットワーク４とゲートウェイ装置３とを介して送信された制御指令を受信し、当該制御指令に応じた動作を実行する。登録サーバ装置６は、ゲートウェイ装置３−１，３−２，３−３のうちいずれかをマスタゲートウェイ装置に指定し、残余のゲートウェイ装置３をスレーブゲートウェイ装置に指定する。登録サーバ装置６によってスレーブゲートウェイ装置に指定されたゲートウェイ装置３は、マスタゲートウェイに指定されたゲートウェイ装置３へ各ローカルシステム２から送信された監視情報や自機の生存信号等の情報を所定の情報である通知情報として送信する。
【００１８】
一方、マスタゲートウェイ装置に指定されたゲートウェイ装置３は、当該ゲートウェイ装置３に接続されたローカルシステム２から送信された監視情報や自機の生存信号等の情報、及びスレーブゲートウェイ装置に指定されたゲートウェイ装置３から送信された通知情報（当該スレーブゲートウェイ装置に接続されたローカルシステム２から送信された監視情報及び当該スレーブゲートウェイ装置の生存信号等の情報）を取りまとめてセンタサーバ５へ送信する。
【００１９】
例えば、ゲートウェイ装置３−１がマスタゲートウェイ装置に指定され、ゲートウェイ装置３−２，３−３がスレーブゲートウェイ装置に指定された場合、図１に破線で示すように、ゲートウェイ装置３−２，３−３は生存信号等の通知情報をゲートウェイ装置３−１へ送信し、ゲートウェイ装置３−１はゲートウェイ装置３−１の生存信号等の情報とゲートウェイ装置３−２，３−３から受信した通知情報とを取りまとめてセンタサーバ５へ送信する。
【００２０】
図２は、登録サーバ装置６の構成の一例を示すブロック図である。図２に示す登録サーバ装置６は、例えば管理情報記憶部６１、通信処理部６２、及び制御部６３を備えている。管理情報記憶部６１は、複数のゲートウェイ装置３を管理するための情報等を記憶する記憶部であり、機能的に、複数のゲートウェイ装置３を管理するための情報を登録する管理情報テーブルを記憶する管理情報テーブル記憶部６０１を備え、複数のゲートウェイ装置３のうち一のゲートウェイ装置３をマスタゲートウェイ装置に設定すると共に残余のゲートウェイ装置３をスレーブゲートウェイ装置に設定するマスタスレーブ設定処理プログラム等の各種プログラム、及び、センタサーバ５の通信アドレス等の各種プログラムの実行に必要な情報や各種プログラムの実行中に生じる情報等の各種情報を記憶する。管理情報記憶部６１は、例えば、制御部６３のいわゆるワーキングメモリとなるＲＡＭ（Random Access Memory）等の揮発性の記憶素子、及び、ＲＯＭ（Read Only Memory）や書換可能なＥＥＰＲＯＭ（Electrically Erasable and Programmable Read Only Memory）等の不揮発性の記憶素子を備えて構成される。
【００２１】
通信処理部６２は、ネットワーク４に接続され、ネットワーク４を介してゲートウェイ装置３及びセンタサーバ５との間で通信信号を送受信するためのインターフェース回路である。通信処理部６２は、制御部６３からのデータをネットワーク４の通信プロトコルに従った通信信号に変換すると共にネットワーク４からの通信信号を制御部６３が処理可能な形式のデータに変換する。
【００２２】
制御部６３は、例えば、マイクロプロセッサ及びその周辺回路等を備えて構成され、所定の制御プログラムを実行することにより、登録処理部６４及び設定制御部６５として機能する。登録処理部６４は、通信処理部６２によりゲートウェイ装置３の通信アドレス等を含む機器情報が受信された場合、該通信アドレスを管理情報テーブル記憶部６０１に記憶させる。
【００２３】
設定制御部６５は、通信処理部６２により複数のゲートウェイ装置３のうち一のゲートウェイ装置３の機器情報が受信され、かつ管理情報テーブル記憶部６０１に他のゲートウェイ装置３の通信アドレスが記憶されていない場合、当該一のゲートウェイ装置３をマスタゲートウェイ装置に設定する旨の設定指示を通信処理部６２により当該一のゲートウェイ装置３へ送信させ、通信処理部６２により複数のゲートウェイ装置３のうち一のゲートウェイ装置３の機器情報が受信され、かつ管理情報テーブル記憶部６０１に他のゲートウェイ装置の通信アドレスが記憶されている場合、当該一のゲートウェイ装置３をマスタゲートウェイ装置に対して所定の情報を送信するスレーブゲートウェイ装置に設定する旨の設定指示を通信処理部６２により当該一のゲートウェイ装置３へ送信させる。
【００２４】
図３は、ゲートウェイ装置３の構成の一例を示すブロック図である。図３に示すゲートウェイ装置３は、例えば、サーバ側通信処理部３１と、ローカル伝送通信処理部３２と、記憶部３３と、制御部３４とを備えている。サーバ側通信処理部３１は、ネットワーク４に接続され、ネットワーク４を介して登録サーバ装置６及びセンタサーバ５との間で通信信号を送受信するためのインターフェース回路である。サーバ側通信処理部３１は、制御部３４からのデータをネットワーク４の通信プロトコルに従った通信信号に変換すると共にネットワーク４からの通信信号を制御部３４が処理可能な形式のデータに変換する。
【００２５】
ローカル伝送通信処理部３２は、例えばＬＡＮ（Local Area Network）や電力線搬送通信等の伝送路を介してローカルシステム２に接続され、ローカルシステム２との間で通信信号を送受信するためのインターフェース回路である。ローカル伝送通信処理部３２は、制御部３４からのデータをローカルシステム２で受信可能な通信信号に変換すると共にローカルシステム２からの通信信号を制御部３４が処理可能な形式のデータに変換する。
【００２６】
記憶部３３は、例えば、ＲＡＭ等の揮発性の記憶素子、及びＲＯＭ等の不揮発性の記憶素子を備えて構成され、予め当該ゲートウェイ装置３に関する情報として例えば当該ゲートウェイ装置３の通信アドレス、名称等の機器情報と、登録サーバ装置６の通信アドレスとが記憶されている。
【００２７】
制御部３４は、例えば、マイクロプロセッサ、ＲＡＭ等の揮発性の記憶素子、及びＲＯＭ等の不揮発性の記憶素子、及びその周辺回路等を備えて構成され、所定の制御プログラムを実行することによりマスタゲートウェイ処理部３５及びスレーブゲートウェイ処理部３６として機能する。マスタゲートウェイ処理部３５は、スレーブゲートウェイ装置から受信した通信信号を取りまとめてセンタサーバ５へ転送する。スレーブゲートウェイ処理部３６は、ローカルシステム２から受信した監視情報をマスタゲートウェイ装置へ送信する。
【００２８】
さらに、マスタゲートウェイ処理部３５及びスレーブゲートウェイ処理部３６は、サーバ側通信処理部３１によって、センタサーバ５からネットワーク４を介して自機に接続されたローカルシステム２に対する制御指令が受信された場合、その制御指令をローカル伝送通信処理部３２によりローカルシステム２へ送信させる。これにより、遠隔に設置されたセンタサーバ５からローカルシステム２の動作を制御することができるようになっている。
【００２９】
次に、上述のように構成された遠隔監視制御システム１の動作について説明する。図４は、遠隔監視制御システム１の動作の一例を示すシーケンス図である。まず、ゲートウェイ装置３に例えば電源電圧が供給されることによりゲートウェイ装置３、例えばゲートウェイ装置３−１が起動され（ステップＳ１）、ゲートウェイ装置３−１において、制御部３４によって、記憶部３３に予め記憶されている登録サーバ装置６の通信アドレスと、機器情報とが読み出され（ステップＳ２）、サーバ側通信処理部３１によって、ゲートウェイ装置３−１の通信アドレスと、ゲートウェイ装置３−１の名称を示す情報とが登録サーバ装置６の通信アドレスを宛先にしてネットワーク４を介して送信される（ステップＳ３）。
【００３０】
次に、登録サーバ装置６における通信処理部６２によって、ゲートウェイ装置３−１から送信された当該ゲートウェイ装置３−１の通信アドレスと名称を示す情報とが受信され、登録処理部６４によって、ゲートウェイ装置３を管理するための管理情報の登録処理が行われる（ステップＳ４）。
【００３１】
図５及び図６は、登録サーバ装置６の動作の一例を示すフローチャートである。まず、登録サーバ装置６における通信処理部６２によって、ゲートウェイ装置３、例えばゲートウェイ装置３−１から送信された通信信号が受信され（ステップＳ１０１）、制御部６３によって、通信処理部６２で受信された通信信号に通信エラーの発生を示すエラー情報を含んでいるか否かが判定される（ステップＳ１０２）。今、通信処理部６２で受信された通信信号にはエラー信号は含まれていないので（ステップＳ１０２でＮＯ）、登録処理部６４によって、当該通信信号に収容されているゲートウェイ装置３−１の通信アドレスが管理情報テーブル記憶部６０１に記憶されているか否かが確認される（ステップＳ１０３）。
【００３２】
管理情報テーブル記憶部６０１には、初期状態では予めセンタサーバ５の通信アドレスが記憶されており、ゲートウェイ装置３−１の通信アドレスは記憶されていないので（ステップＳ１０３でＮＯ）、登録処理部６４によって、通信処理部６２で受信された通信信号に収容されている機器情報が管理情報テーブル記憶部６０１に記憶される（ステップＳ１０４）。
【００３３】
次に、設定制御部６５によって、オンライン状態のマスタゲートウェイ装置の有無が管理情報テーブル記憶部６０１を参照して確認される（ステップＳ１０５）。今、管理情報テーブル記憶部６０１には、当該ゲートウェイ装置３−１以外のゲートウェイ装置３は記憶されておらず、従ってマスタゲートウェイ装置は記憶されていないので（ステップＳ１０５でＮＯ）、当該ゲートウェイ装置３−１をマスタゲートウェイ装置にするべくステップＳ１０６へ移行する。そして、設定制御部６５によって、管理情報テーブル記憶部６０１にゲートウェイ装置３−１がオンライン状態のマスタゲートウェイ装置として記憶される（ステップＳ１０６）。
【００３４】
図７は、管理情報テーブル記憶部６０１に記憶される管理情報テーブル６１０を表形式で示した説明図である。図７（ａ）に示す管理情報テーブル６１０は、順序６１１、端末の名称６１２、通信アドレス６１３、端末種別６１４、端末状態６１５、及び遷移回数６１６を含んでいる。順序６１１は、管理情報テーブル６１０に登録された順番を示している。端末の名称６１２は、各端末の名称であり、例えばセンタサーバ５の名称「センタサーバ５」、ゲートウェイ装置３−１の名称「ゲートウェイ装置３−１」等である。通信アドレス６１３は、各端末に付与されている通信アドレスである。端末種別６１４は、マスタゲートウェイ装置であるかスレーブゲートウェイ装置であるかを示す情報で、例えば、マスタゲートウェイ装置は「マスタ」、スレーブゲートウェイ装置は「スレーブ」とされる。端末状態６１５は、各端末が生存状態であるか否かを示す情報で、生存状態であれば「オンライン」、生存状態でなければ「オフライン」とされる。遷移回数６１６は、各端末毎に、端末状態６１５が「オフライン」から「オンライン」へ切り替わった回数を示している。
【００３５】
管理情報テーブル６１０の先頭には、センタサーバ５の通信アドレス「Ａ５」が予め記憶されている。そして、ステップＳ１０４において、センタサーバ５が記憶されている次の行に、通信処理部６２で受信された通信信号に収容されている機器情報で示される名称「ゲートウェイ装置３−１」及びゲートウェイ装置３−１のアドレス「Ａ３１」が記憶され、ステップＳ１０６においてゲートウェイ装置３−１の端末種別「マスタ」と端末状態「オンライン」とが記憶される。
【００３６】
次に、設定制御部６５によって、通信処理部６２で受信された通信信号の送信元であるゲートウェイ装置３−１をマスタゲートウェイ装置として設定する旨の設定指示と、管理情報テーブル６１０に記憶されているセンタサーバ５の通信アドレス「Ａ５」とが、通信処理部６２からネットワーク４を介してゲートウェイ装置３−１へ送信される（ステップＳ１０７）。
【００３７】
そして、図４に戻ってステップＳ５において、ゲートウェイ装置３−１へマスタゲートウェイ装置として設定する旨の設定指示とセンタサーバ５の通信アドレス「Ａ５」とが、登録サーバ装置６における通信処理部６２からネットワーク４を介してゲートウェイ装置３−１へ送信され、サーバ側通信処理部３１によって受信されたセンタサーバ５の通信アドレス「Ａ５」が記憶部３３により記憶され、マスタゲートウェイ処理部３５によって、マスタゲートウェイ装置としての動作が実行される（ステップＳ６）。マスタゲートウェイ装置としての動作については後述する。
【００３８】
次に、ゲートウェイ装置３、例えばゲートウェイ装置３−２が起動された場合、ステップＳ１〜Ｓ４と同様にして、ゲートウェイ装置３−２から登録サーバ装置６へ、ゲートウェイ装置３−２の通信アドレスと、ゲートウェイ装置３−２の名称を示す情報とがネットワーク４を介して送信され（ステップＳ１〜Ｓ３）、ゲートウェイ装置３−２の登録処理が行われる（ステップＳ４）。
【００３９】
図５を参照して、上述のステップＳ１０１〜Ｓ１０３と同様の処理によりステップＳ１０４へ移行する。そして、図７（ａ）に示すように、登録処理部６４によって、通信処理部６２で受信された通信信号に収容されている機器情報、すなわちゲートウェイ装置３−２の名称「ゲートウェイ装置３−２」と、通信アドレス「Ａ３２」とが管理情報テーブル６１０のゲートウェイ装置３−１の次に記憶される（ステップＳ１０４）。
【００４０】
次に、設定制御部６５によって、オンライン状態のマスタゲートウェイ装置の有無が管理情報テーブル６１０を参照して確認され（ステップＳ１０５）、ゲートウェイ装置３−１がオンライン状態のマスタゲートウェイ装置として記憶されているので（ステップＳ１０５でＹＥＳ）、当該ゲートウェイ装置３−２をスレーブゲートウェイ装置にするべくステップＳ１０８へ移行する。そして、設定制御部６５によって、ゲートウェイ装置３−２について、管理情報テーブル６１０にオンライン状態のスレーブゲートウェイ装置として記憶される（ステップＳ１０８）。
【００４１】
次に、設定制御部６５によって、通信処理部６２で受信された通信信号の送信元であるゲートウェイ装置３−２をスレーブゲートウェイ装置として設定する旨の設定指示と、管理情報テーブル６１０に記憶されているマスタゲートウェイ装置であるゲートウェイ装置３−１の通信アドレス「Ａ３１」とが、通信処理部６２からネットワーク４を介してゲートウェイ装置３−２へ送信される（ステップＳ１０９）。
【００４２】
そして、図４に戻ってステップＳ５において、ゲートウェイ装置３−２へスレーブゲートウェイ装置として設定する旨の設定指示とマスタゲートウェイ装置であるゲートウェイ装置３−１の通信アドレス「Ａ３１」とが、登録サーバ装置６における通信処理部６２からネットワーク４を介してゲートウェイ装置３−２へ送信され、サーバ側通信処理部３１によって受信されたゲートウェイ装置３−１の通信アドレス「Ａ３１」が記憶部３３によりマスタゲートウェイ装置の通信アドレスとして記憶され、スレーブゲートウェイ処理部３６によって、スレーブゲートウェイ装置としての動作が実行される（ステップＳ６）。
【００４３】
以上、ステップＳ１〜Ｓ６、及びステップＳ１０１〜１０９の処理をすべてのゲートウェイ装置３について繰り返すことにより、複数のゲートウェイ装置３のうちの一のゲートウェイ装置３がマスタゲートウェイ装置に設定されると共に、複数のゲートウェイ装置３のうちの残余のゲートウェイ装置３がスレーブゲートウェイ装置に設定される。
【００４４】
次に、マスタゲートウェイ装置に設定された例えばゲートウェイ装置３−１と、スレーブゲートウェイ装置に設定された例えばゲートウェイ装置３−２，３−３の動作について説明する。まず、ゲートウェイ装置３−１，３−２，３−３は、ローカルシステム２−１，２−２，２−３から送信された、各ローカルシステム２における動作状態や防犯警報等を示す監視情報をそれぞれローカル伝送通信処理部３２によって受信し、記憶部３３に記憶させる。
【００４５】
次に、スレーブゲートウェイ装置に設定されたゲートウェイ装置３−２，３−３におけるスレーブゲートウェイ処理部３６によって、記憶部３３に記憶されたローカルシステム２−２，２−３から得られた監視情報等の情報が、記憶部３３に記憶されているゲートウェイ装置３−１の通信アドレスを宛先にしてサーバ側通信処理部３１によってネットワーク４を介して通知情報として送信されると共に、マスタゲートウェイ装置に設定されたゲートウェイ装置３−１におけるサーバ側通信処理部３１で受信される。
【００４６】
一方、マスタゲートウェイ装置に設定されたゲートウェイ装置３−１において、マスタゲートウェイ処理部３５によって、記憶部３３に記憶されているローカルシステム２−１から得られた通知情報と、サーバ側通信処理部３１で受信されたゲートウェイ装置３−２，３−３からの監視情報等の通知情報とが取りまとめられて一括して、サーバ側通信処理部３１により記憶部３３に記憶されているセンタサーバ５の通信アドレスを宛先にしてネットワーク４を介して送信される。なお、スレーブゲートウェイ装置からマスタゲートウェイ装置へ送信され、マスタゲートウェイ装置で取りまとめられる通知情報は、ローカルシステム２から得られた情報に限られず、例えばゲートウェイ装置３−１，３−２，３−３の生存情報であってもよい。
【００４７】
これにより、ネットワーク４に接続された複数のゲートウェイ装置３からセンタサーバ５へ送信される通知情報が、複数のゲートウェイ装置３のうち一のマスタゲートウェイ装置によって、一旦取りまとめられ、一括してセンタサーバ５へ送信されるので、センタサーバ５は複数のゲートウェイ装置３とそれぞれ通信処理を実行する必要がなく、ゲートウェイ装置３の台数の増加に伴うセンタサーバ５における通信負荷の増大を低減することができる。
【００４８】
次に、マスタゲートウェイ装置に設定されたゲートウェイ装置３が通信できない状態になった場合における遠隔監視制御システム１の動作について、図８を参照して説明する。まず、スレーブゲートウェイ装置である例えばゲートウェイ装置３−２から、マスタゲートウェイ装置である例えばゲートウェイ装置３−１へ通知情報が送信され（ステップＳ１１）、一定時間以上ゲートウェイ装置３−１からのレスポンスが無いと、ゲートウェイ装置３−２におけるスレーブゲートウェイ処理部３６によって、マスタゲートウェイ装置との間で通信できない通信エラーの発生が検出される（ステップＳ１２）。そうすると、ゲートウェイ装置３−２におけるスレーブゲートウェイ処理部３６によって、マスタゲートウェイ装置との間で通信できない旨の通信エラー情報が、サーバ側通信処理部３１からネットワーク４を介して登録サーバ装置６へ送信される（ステップＳ１３）。
【００４９】
次に、登録サーバ装置６における通信処理部６２によって、ゲートウェイ装置３−２からのマスタゲートウェイ装置との間で通信できない旨の通信エラー情報が受信され、設定制御部６５によって、マスタゲートウェイ装置であるゲートウェイ装置３−１の生存確認処理が実行される（ステップＳ１４）。
【００５０】
図５に戻って、登録サーバ装置６における通信処理部６２によって、ゲートウェイ装置３−２から送信された通信信号が受信され（ステップＳ１０１）、制御部６３によって、通信処理部６２で受信された通信信号に通信エラーの発生を示す通信エラー情報を含んでいるか否かが判定され（ステップＳ１０２）、通信エラー情報が含まれているので（ステップＳ１０２でＹＥＳ）、マスタゲートウェイ装置の生存確認を実行するべく図６におけるステップＳ１１１へ移行する。
【００５１】
ステップＳ１１１において、設定制御部６５によって、マスタゲートウェイ装置であるゲートウェイ装置３−１の生存確認が実行される。この場合、例えばＴＣＰ／ＩＰにおけるピング（ｐｉｎｇ）コマンドを用いてゲートウェイ装置３−１の生存確認が実行される。ピングコマンドは、例えば、ＩＣＭＰ（Internet Control Message Protocol）のエコーメッセージが利用され、このエコーメッセージを受信したノードがエコー指示に応じて応答メッセージを返信するでその生存が確認される。そして、ゲートウェイ装置３−１が生存していれば（ステップＳ１１２でＹＥＳ）、再びゲートウェイ装置３−２に対してゲートウェイ装置３−１への通知情報の送信を再開させるべく設定制御部６５によって、通信処理部６２からネットワーク４を介してゲートウェイ装置３−２へ、通信再開指示が送信される（ステップＳ１１３）。
【００５２】
これにより、例えばノイズの影響などにより、スレーブゲートウェイ装置とマスタゲートウェイ装置との間で一時的に通信ができない状態となっていた場合などにおいては、登録サーバ装置６によってマスタゲートウェイ装置の生存確認が実行され、生存していればスレーブゲートウェイ装置に対し、再び通知情報の送信を再開させることができる。
【００５３】
一方、ゲートウェイ装置３−１が生存していなければ（ステップＳ１１２でＮＯ）、設定制御部６５によって、管理情報テーブル６１０におけるゲートウェイ装置３−１の端末状態６１５が、「オンライン」から「オフライン」に変更される（ステップＳ１１４）。そして、設定制御部６５によって、管理情報テーブル６１０において、通信エラー情報の送信元であるゲートウェイ装置３−２の他に端末状態６１５が「オンライン」となっているゲートウェイ装置３が有るか否かが確認され（ステップＳ１１５）、他に無ければ（ステップＳ１１５でＮＯ）、通信エラー情報の送信元であるゲートウェイ装置３−２をマスタゲートウェイ装置にするべくステップＳ１０６（図５）へ移行する。
【００５４】
そして、設定制御部６５によって、管理情報テーブル６１０に、ゲートウェイ装置３−２がオンライン状態のマスタゲートウェイ装置として記憶され（ステップＳ１０６）、ゲートウェイ装置３−２をマスタゲートウェイ装置として設定する旨の設定指示と、管理情報テーブル６１０に記憶されているセンタサーバ５の通信アドレスとが、通信処理部６２からネットワーク４を介してゲートウェイ装置３−２へ送信される（ステップＳ１０７）。
【００５５】
一方、通信エラー情報の送信元であるゲートウェイ装置３−２の他に端末状態６１５が「オンライン」となっているゲートウェイ装置３が有れば（ステップＳ１１５でＹＥＳ）、管理情報テーブル６１０におけるオンライン状態のゲートウェイ装置３のうち遷移回数６１６が最少のゲートウェイ装置３が選択され（ステップＳ１１６）、さらに選択されたゲートウェイ装置３のうち、管理情報テーブル６１０に記憶されている登録順序が最もはやいもの、すなわち順序６１１の値が最も小さいものが、マスタゲートウェイ装置として選択される（ステップＳ１１７）。なお、遷移回数６１６の加算動作については後述する。
【００５６】
次に、設定制御部６５によって、マスタゲートウェイ装置として選択されたゲートウェイ装置３、例えばゲートウェイ装置３−２が管理情報テーブル６１０にオンライン状態のマスタゲートウェイ装置として記憶される（ステップＳ１１８）。そして、マスタゲートウェイ装置に選択されたゲートウェイ装置３が通信エラー情報の送信元であるゲートウェイ装置３か否かが確認され（ステップＳ１１９）、通信エラー情報の送信元であるゲートウェイ装置３がマスタゲートウェイ装置として選択された場合は（ステップＳ１１９でＹＥＳ）、通信エラー情報の送信元であるゲートウェイ装置３−２をマスタゲートウェイ装置に設定するべくステップＳ１０７（図５）へ移行する。
【００５７】
そして、設定制御部６５によって、ゲートウェイ装置３−２をマスタゲートウェイ装置として設定する旨の設定指示と、管理情報テーブル６１０に記憶されているセンタサーバ５の通信アドレスとが、通信処理部６２からネットワーク４を介してゲートウェイ装置３−２へ送信される（ステップＳ１０７）。
【００５８】
一方、例えば、図７（ｂ）に示す管理情報テーブル６１０においてゲートウェイ装置３−２の遷移回数６１６が「１」であった場合、ステップＳ１１６，Ｓ１１７においてゲートウェイ装置３−３がマスタゲートウェイ装置として選択されるので、マスタゲートウェイ装置に選択されたゲートウェイ装置３が通信エラー情報の送信元であるゲートウェイ装置３−２ではなくなる。このように、マスタゲートウェイ装置に選択されたゲートウェイ装置３が通信エラー情報の送信元であるゲートウェイ装置３−２でなければ（ステップＳ１１９でＮＯ）、設定制御部６５によって、ゲートウェイ装置３−３をマスタゲートウェイ装置として設定する旨の設定指示と、管理情報テーブル６１０に記憶されているセンタサーバ５の通信アドレスとが、通信処理部６２からネットワーク４を介してゲートウェイ装置３−３へ送信され（ステップＳ１２０）、さらに設定制御部６５によって、管理情報テーブル６１０に記憶されているゲートウェイ装置３−３の通信アドレスが、通信エラー情報の送信元であるゲートウェイ装置３−２へ、通信処理部６２からネットワーク４を介して送信される（ステップＳ１２１）。
【００５９】
また、通信エラー情報の送信元であるゲートウェイ装置３−２以外のゲートウェイ装置３、例えばゲートウェイ装置３−３は、旧マスタゲートウェイ装置への通知情報の送信を試みる結果、図８におけるステップＳ１１〜Ｓ１３、及び図５，図６におけるステップＳ１０１〜Ｓ１２１と同様の処理により、新たなマスタゲートウェイ装置の通信アドレスを取得する。
【００６０】
以上、ステップＳ１１１〜Ｓ１２１のマスタゲートウェイ更新処理により、マスタゲートウェイ装置として管理情報テーブル６１０に登録されていたゲートウェイ装置３が故障や運転停止等によりスレーブゲートウェイ装置との間で通信できなくなった場合、自動的に新たなマスタゲートウェイ装置を設定し、スレーブゲートウェイ装置によるマスタゲートウェイ装置を介した登録サーバ装置６への通知情報の送信を継続して行うことができる。
【００６１】
次に、ステップＳ１１４の処理により、端末状態６１５が「オフライン」にされた旧マスタゲートウェイ装置、例えばゲートウェイ装置３−１が復旧した場合の動作を説明する。まず、図４におけるステップＳ１〜Ｓ３と同様にして、ゲートウェイ装置３−１が例えば電源投入される等により起動され、ゲートウェイ装置３−１から登録サーバ装置６へ、ゲートウェイ装置３−１の通信アドレスと、ゲートウェイ装置３−１の名称を示す情報とがネットワーク４を介して送信される。
【００６２】
次に、図５を参照して、上述のステップＳ１０１、Ｓ１０２と同様の処理によりステップＳ１０３へ移行する。そして、登録処理部６４によって、ゲートウェイ装置３−１から送信された通信アドレスが管理情報テーブル６１０に記憶されているか否かが確認され（ステップＳ１０３）、ゲートウェイ装置３−１の通信アドレスは既に記憶されているので（ステップＳ１０３でＹＥＳ）、ゲートウェイ装置３−１の端末状態６１５が「オフライン」か否かが確認される（ステップＳ１２２）。そうすると、図７（ｂ）に示すように、ゲートウェイ装置３−１の端末状態６１５は「オフライン」なので（ステップＳ１２２でＹＥＳ）、設定制御部６５によって、ゲートウェイ装置３−１の端末状態６１５が「オンライン」に変更されると共にゲートウェイ装置３−１の遷移回数６１６が１加算されてオフライン状態からオンライン状態に変化した回数が状態遷移回数として計数される（Ｓ１２３）。
【００６３】
この場合、遷移回数６１６が少ないほど、ゲートウェイ装置３における端末状態６１５の変化、すなわち動作状態の変化が少なく、動作が安定していると考えられる。従って、ステップＳ１１６において、遷移回数６１６が最少のゲートウェイ装置３をマスタゲートウェイ装置として選択することにより、動作が安定したゲートウェイ装置３をマスタゲートウェイ装置として選択することができ、マスタゲートウェイ装置とスレーブゲートウェイ装置との間で通信できなくなることを低減することができるので、遠隔監視制御システム１の動作の安定性を向上させることができる。
【００６４】
次に、設定制御部６５によって、オンライン状態のマスタゲートウェイ装置の有無が管理情報テーブル６１０を参照して確認され（ステップＳ１０５）、ゲートウェイ装置３−２がオンライン状態のマスタゲートウェイ装置として記憶されているので（ステップＳ１０５でＹＥＳ）、ゲートウェイ装置３−１をスレーブゲートウェイ装置に設定するべくステップＳ１０８へ移行する。そして、設定制御部６５によって、ゲートウェイ装置３−１が、図７（ｃ）に示すように管理情報テーブル６１０でオンライン状態のスレーブゲートウェイ装置として記憶される（ステップＳ１０８）。
【００６５】
次に、設定制御部６５によって、通信処理部６２で受信された通信信号の送信元であるゲートウェイ装置３−１をスレーブゲートウェイ装置として設定する旨の設定指示と、管理情報テーブル６１０に記憶されているマスタゲートウェイ装置であるゲートウェイ装置３−２の通信アドレスとが、通信処理部６２からネットワーク４を介してゲートウェイ装置３−１へ送信される（ステップＳ１０９）。
【００６６】
これにより、一旦スレーブゲートウェイ装置との間で通信不能になったために端末状態６１５が「オフライン」にされた旧マスタゲートウェイ装置が復旧し、旧マスタゲートウェイ装置の通信アドレス等の機器情報が通信処理部６２により受信された場合、登録サーバ装置６は、旧マスタゲートウェイ装置をスレーブゲートウェイ装置に設定して新たなマスタゲートウェイ装置の通信アドレスを通知し、新たなマスタゲートウェイ装置に対して通知情報を送信させるようにすることができるので、遠隔監視制御システム１内に複数のマスタゲートウェイ装置が存在する状態を発生させることがなく、複数のマスタゲートウェイ装置により登録サーバ装置６への通知情報の送信が行われて登録サーバ装置６の通信負荷が増大することを抑制することができる。
【００６７】
なお、センタサーバ５とは別に登録サーバ装置６を設ける例を示したが、センタサーバ５を登録サーバ装置６として機能させるようにしてもよい。これにより、センタサーバ５の他に別途登録サーバ装置６を設ける必要が無く、遠隔監視制御システム１のコストを低減することができる。
【図面の簡単な説明】
【００６８】
【図１】本発明の一実施形態に係る登録サーバ装置を用いた遠隔監視制御システムの一例を示すブロック図である。
【図２】図１に示す登録サーバ装置６の構成の一例を示すブロック図である。
【図３】図１に示すゲートウェイ装置３の構成の一例を示すブロック図である。
【図４】図１に示す遠隔監視制御システムの動作の一例を示すシーケンス図である。
【図５】図１に示す登録サーバ装置の動作の一例を示すフローチャートである。
【図６】図１に示す登録サーバ装置の動作の一例を示すフローチャートである。
【図７】図２に示す管理情報記憶部に記憶される管理情報テーブルを表形式で示した説明図である。
【図８】図１に示す遠隔監視制御システムの動作の一例を示すシーケンス図である。
【図９】背景技術に係る遠隔監視制御システムの構成の一例を示すブロック図である。
【符号の説明】
【００６９】
１    遠隔監視制御システム
２    ローカルシステム
３    ゲートウェイ装置
４    ネットワーク
５    センタサーバ
６    登録サーバ装置
３１  サーバ側通信処理部
３２  ローカル伝送通信処理部
３３  記憶部
３４，６３  制御部
３５  マスタゲートウェイ処理部
３６  スレーブゲートウェイ処理部
６１  管理情報記憶部
６２  通信処理部
６４  登録処理部
６５  設定制御部
６０１  管理情報テーブル記憶部
６１０  管理情報テーブル
６１３  通信アドレス
６１４  端末種別
６１５  端末状態
６１６  遷移回数
【図１】
2006203696.tif 000003
【図２】
2006203696.tif 000004
【図３】
2006203696.tif 000005
【図４】
2006203696.tif 000006
【図５】
2006203696.tif 000007
【図６】
2006203696.tif 000008
【図７】
2006203696.tif 000009
【図８】
2006203696.tif 000010
【図９】
2006203696.tif 000011